(57)【特許請求の範囲】
【請求項１】
軸筒の内部に芯タンクが摺動自在に配置され、その芯タンクの前方に継ぎ手部材を介してチャック体が取り付けられたシャープペンシルであって、前記継ぎ手部材とチャック体の内部に、芯の外径とほぼ同様な内径を有するパイプ体を嵌挿させると共に、そのパイプ体の先端を前記チャック体の中間部まで延設形成するが、そのパイプ体の先端とチャック体の把持部の後端との距離をパイプ体の直径以上としたことを特徴とするシャープペンシル。
【請求項２】
軸筒の側壁にノック駒を有し、そのノック駒の押圧操作によってスライダーを前進せしめ、芯の繰り出しを行うシャープペンシルであって、前記スライダーの前端に芯の把持、解放を行うチャック体を固定すると共に、前記スライダーとチャック体の内部に、芯の外径とほぼ同様な内径を有するパイプ体を嵌挿させると共に、そのパイプ体の先端を前記チャック体の中間部まで延設形成するが、そのパイプ体の先端とチャック体の把持部の後端との距離をパイプ体の直径以上としたことを特徴とするシャープペンシル。
【発明の詳細な説明】
【０００１】
【発明の属する技術分野】
本発明は、芯タンクからチャック体に芯が導かれる芯挿通孔の改良に関するものである。
【０００２】
【従来の技術】
１例として実用新案登録第２５３１０６９号公報がある。その公報の特許請求の範囲には、「二つ割りチャックの先端芯把持部における一方の分割部位の内面の芯把持溝の両側の割り面にそれぞれ凸部又は凹部を設けると共に、他方の分割部位の把持溝の割り面において前記凸部又は凹部と対向する位置にその凸部又は凹部に対して嵌脱自在な凹部又は凸部を設け、二つ割りチャックの先端把持部が開いた状態において、その一方の割り面に設けた凸部の先端から他方の凹部を設けた割り面までの距離を芯の外径よりも小さく設定したことを特徴とするシャープペンシル。」と記載されている。つまり、二つ割りチャックの割り面に凸部を形成することによって、特に、チャックに差し掛かる新しい芯のセンターずれを矯正しようとするものである。
【０００３】
【発明が解決しようとする課題】
前記チャックの一方の分割部位の割り面には、芯把持溝を中心とし、その両側に凸部と凹部が形成されており、左右が非対称の形状になっている。つまり、凸部が形成されている分割部位はその肉厚が厚く形成されており、一方、凹部が形成されている分割部位はその肉厚が薄く形成されている。かくして、このように肉厚に変化のある部材を成形しようとすると、凸部が形成されたその裏面には微少な凹部が形成されてしまい（一般的には、「ひけ」と称されている）、その微少な凹部が製品としての機能を無くしてしまうものであった。具体的には、チャックが拡開しなくなったり、芯の把持力が弱まったりしてしまうものであった。
【０００４】
【課題を解決するための手段】
本発明は、軸筒の内部に芯タンクが摺動自在に配置され、その芯タンクの前方に継ぎ手部材を介してチャック体が取り付けられたシャープペンシルであって、前記継ぎ手部材とチャック体の内部に、芯の外径とほぼ同様な内径を有するパイプ体を嵌挿させると共に、そのパイプ体の先端を前記チャック体の中間部まで延設形成するが、そのパイプ体の先端とチャック体の把持部の後端との距離をパイプ体の直径以上としたことを第１の要旨とし、軸筒の側壁にノック駒を有し、そのノック駒の押圧操作によってスライダーを前進せしめ、芯の繰り出しを行うシャープペンシルであって、前記スライダーの前端に芯の把持、解放を行うチャック体を固定すると共に、前記スライダーとチャック体の内部に、芯の外径とほぼ同様な内径を有するパイプ体を嵌挿させると共に、そのパイプ体の先端を前記チャック体の中間部まで延設形成するが、そのパイプ体の先端とチャック体の把持部の後端との距離をパイプ体の直径以上としたことを第２の要旨とする。
【０００５】
【作用】
芯タンクから、芯がパイプ体によって真っ直ぐに矯正されながら繰り出される。
【０００６】
【実施例】
第１例を図１、図２に示し説明する。後端ノック式シャープペンシルの例である。軸筒１の内部には、芯を複数収容可能な芯タンク２が摺動自在に配置されている。その芯タンク２の後端には、ノックキャップ３が取り付けられているが、他端には、継ぎ手部材４を介して芯を把持・解放するチャック体５が取り付けられている。また、前記継ぎ手部材４は、樹脂成形品で成形されているが、金属材質で形成しても良い。そして、その継ぎ手部材４の内部には、貫通孔６が形成されており、その貫通孔６には使用する芯の外形と同様な外径を有するパイプ体７が嵌挿されている。また、そのパイプ体７の先端は、前記チャック体５の中間部まで延設形成されている。
【０００７】
このパイプ体７は、芯の曲がりを矯正し、正確に前記チャック体５の芯把持部８に芯を導くものであるが、前記継ぎ手部材４を容易に正確に成形するためにもなっている。つまり、例えば、前記継ぎ手部材を樹脂成形によって形成する場合には、芯挿通孔を形成するコアピンが細いが故に曲がってしまったり、時には折れてしまうことがあった。また、金属材質から形成する場合においては、芯挿通孔を形成するドリルが前記と同様に曲がってしまったり、折れてしまう場合があった。そこで、少しでも太い芯挿通孔を形成し、芯径とのギャップを前記パイプ体によって解消しているのである。それ故に、このパイプ体を変更するだけで種々の芯径に対応させることができるという効果も奏している。
【０００８】
前記チャック体５の前方には、そのチャック体５を開閉するチャックリングＲが囲繞している。また、チャック体５の前方には、芯の後退を阻止する芯戻り止め部材９が位置しているが、その芯戻り止め部材９は、前記軸筒１の先端に螺着された先部材１０に圧入固定されている。
符号Ｓは、前記継ぎ手部材４やチャック体５を後方に付勢するためのコイルスプリングである。
【０００９】
第２例を図３、図４に示し説明する。サイドノック式シャープペンシルの例を挙げ説明する。軸筒１１の中間部側面には、ノック駒１２が径方向に移動可能に取り付けられている。また、軸筒１１の内部には、前記ノック駒１２の移動動作に伴って前後動するスライダー１３が、前記軸筒１に対して摺動自在に配置されている。そのスライダー１３の前方には、チャック体１４が固定されている。勿論、そのチャック体１４は、芯を把持し前進せしめ、解放することによって、芯を繰り出すものである。そして、そのチャック体１４の前方には、チャック体４の開閉を行うチャックリング１５が囲繞している。
【００１０】
前記軸筒１１の前方には、先部材１６が螺着などによって着脱自在に取り付けられており、その先部材１６には芯の後退を阻止する弾性部材からなる芯戻り止め部材１７が内設している。
符号１８は、先部材１６の先端に固定された芯保護管であり、また、符号１９は、前記スライダー１３やチャック体１４を後方に付勢するためのコイルスプリングである。
【００１１】
ここで、前記スライダー１３について更に詳述すると、そのスライダー１３の内部には、前例と同様に、使用する芯の外径と同様な内径を有するパイプ体２０が嵌挿している。そして、そのパイプ体２０の前端は、前記チャック体１４の中間部まで延設形成されている。一方、パイプ体２０の他端には、芯を芯タンク２１から１本毎分離する芯受け部材２２が固定されている。
尚、本例においては、ノック駒１２の押圧動作が、スライダー１３の側面に加わり、そのスライダー１３が湾曲しやすいので、パイプ体２０を嵌挿することによって、その湾曲をも極力防止することができる。
【００１２】
【発明の効果】
本発明は、軸筒の内部に芯タンクが摺動自在に配置され、その芯タンクの前方に継ぎ手部材を介してチャック体が取り付けられたシャープペンシルであって、前記継ぎ手部材とチャック体の内部に、芯の外径とほぼ同様な内径を有するパイプ体を嵌挿させると共に、そのパイプ体の先端を前記チャック体の中間部まで延設形成するが、そのパイプ体の先端とチャック体の把持部の後端との距離をパイプ体の直径以上としたことを第１の要旨とし、軸筒の側壁にノック駒を有し、そのノック駒の押圧操作によってスライダーを前進せしめ、芯の繰り出しを行うシャープペンシルであって、前記スライダーの前端に芯の把持、解放を行うチャック体を固定すると共に、前記スライダーとチャック体の内部に、芯の外径とほぼ同様な内径を有するパイプ体を嵌挿させると共に、そのパイプ体の先端を前記チャック体の中間部まで延設形成するが、そのパイプ体の先端とチャック体の把持部の後端との距離をパイプ体の直径以上としたことを第２の要旨としたので、芯を正確に芯把持部に導くことができる。
【図面の簡単な説明】
【図１】  本発明の第１例を示す縦断面図。
【図２】  図１の要部拡大図。
【図３】  第２例を示す縦断面図。
【図４】  図３の要部拡大斜視図。
【符号の説明】
１      軸筒
２      芯タンク
３      ノックキャップ
４      継ぎ手部材
５      チャック体
６      貫通孔
７      パイプ体
８      チャックリング
９      芯戻り止め部材
１０    先部材
１１    軸筒
１２    ノック駒
１３    スライダー
１４    チャック体
１５    チャックリング
１６    先部材
１７    芯戻り止め部材
１８    芯保護管
１９    コイルスプリング
２０    パイプ体
２１    芯タンク
２２    芯受け部材
Ｒ      チャックリング
【図１】
0003931469.tif 000002
【図２】
0003931469.tif 000003
【図３】
0003931469.tif 000004
【図４】
0003931469.tif 000005